(57)【要約】【課題】挟み込んだ導体から外れにくい電気配線用クリップを提供する。【解決手段】図２（ｄ）：後端部２３、３３から指が離される。これにより、板材Ｐが第１導電部材６と第２導電部材９の間に挟み込まれる。このとき、第２導電部材９は、第２の軸７回りに回動自在であるので、その先端側が板材Ｐが離れることがない。つまり、第２導電部材９は、全体的に、板材Ｐに接する。また、第１導電部材６と第２導電部材９は、共に板状であるので、板材Ｐに対し、いわゆる「面」で接する。【選択図】図２
2013114970.tif 000002
【特許請求の範囲】
【請求項１】
それぞれ主要部を挟んで先端部および後端部を有するとともに前記主要部を横断するように貫通する第１の軸回りに回動自在に連結された一対の金属片と、
前記各金属片を前記先端部どうしが閉じ且つ前記後端部どうしが開くように付勢するバネと、
前記一方の金属片の先端部における前記他方の金属片側に設けられた板状の第１導電部材と、
前記他方の金属片の先端部を横断するように貫通する第２の軸と、
前記第２の軸回りに回動自在でありかつ前記第１導電部材に向くように設けられた板状の第２導電部材と、
を有することを特徴とする電気配線用クリップ。
【請求項２】
前記第１導電部材の前記第２導電部材側の面と前記第２導電部材の前記第１導電部材側の面の一方の面には凸部が設けられ、他方の面には前記凸部に対向する凹部が設けられていることを特徴とする請求項１記載の電気配線用クリップ。
【請求項３】
複数の前記凸部および複数の前記凹部が面状の広がりをもって設けられていることを特徴とする請求項２記載の電気配線用クリップ。
【発明の詳細な説明】
【技術分野】
【０００１】
本発明は、挟み込んだ導体から外れにくい電気配線用クリップに関するものである。
【背景技術】
【０００２】
従来において、電線や端子を挟み込むための電気配線用クリップは、「みの虫クリップ」、「わに口クリップ」、「充電クリップ」などの名称で販売されている。
【０００３】
電気配線用クリップはバネを内蔵し、バネの力に逆らって、先端部を開き、電線や端子を挟み込むようになっている。
【先行技術文献】
【特許文献】
【０００４】
【特許文献１】登録実用新案第３００５２３９号公報
【発明の概要】
【発明が解決しようとする課題】
【０００５】
従来の電気配線用クリップは、その先端部が鋸状の歯であるため、金属シャーシなどの板材を挟んだ場合、少しの力で外れてしまう可能性がある。金属シャーシなどの表面は滑りやすいため、歯の先端の摩擦力だけでは不十分である。また、板材が厚いと、先端側の歯は板材から浮き上がってしまい、電気配線用クリップは、一層外れやすくなる。
【０００６】
本発明は、上記の課題に鑑みてなされたものであり、その目的とするところは、挟み込んだ板材や線材などの導体から外れにくい電気配線用クリップを提供することにある。
【課題を解決するための手段】
【０００７】
上記の課題を解決するために、第１の本発明は、それぞれ主要部を挟んで先端部および後端部を有するとともに前記主要部を横断するように貫通する第１の軸回りに回動自在に連結された一対の金属片と、前記各金属片を前記先端部どうしが閉じ且つ前記後端部どうしが開くように付勢するバネと、前記一方の金属片の先端部における前記他方の金属片側に設けられた板状の第１導電部材と、前記他方の金属片の先端部を横断するように貫通する第２の軸と、前記第２の軸回りに回動自在でありかつ前記第１導電部材に向くように設けられた板状の第２導電部材と、を有することを特徴とする電気配線用クリップをもって解決手段とする。
【発明の効果】
【０００８】
本発明によれば、挟み込んだ導体から外れにくい電気配線用クリップを提供することができる。
【図面の簡単な説明】
【０００９】
【図１】図１（ａ）は、本実施の形態に係る電気配線用クリップの斜視図である。図１（ｂ）は、第２導電部材９の斜視図である。
【図２】電気配線用クリップ１が板材を挟み込むまでの各過程を示す図である。
【図３】電気配線用クリップ１が電線を挟み込んだ様子を示す図である。
【発明を実施するための形態】
【００１０】
以下、本発明の実施の形態について図面を参照して説明する。
【００１１】
図１（ａ）は、本実施の形態に係る電気配線用クリップの斜視図である。図１（ｂ）は、第２導電部材９の斜視図である。
【００１２】
電気配線用クリップ１は、一対の金属片２、３と、第１の軸４と、バネ５と、第１導電部材６と、第２の軸７と、台座８と、第２導電部材９とを備える。
【００１３】
金属片２は、例えば、金属板を曲げて作られたものであり、中央に位置する主要部２１ならびに主要部２１を挟む先端部２２および後端部２３を有する。金属片３は、例えば、同様に金属板を曲げて作られたものであり、中央の主要部３１ならびに主要部３１を挟む先端部３２および後端部３３を有する。
【００１４】
主要部２１は、２つのリブ２１１を有し、主要部３１は、２つのリブ３１１を有する。
【００１５】
第１の軸４は、４つのリブ２１１、２１１、３１１、３１１に形成された孔とバネ５を貫通している。つまり、第１の軸４は、主要部２１、３１を横断するように貫通する。これにより、金属片２、３は、第１の軸４回りに回動自在に連結される。
【００１６】
また、金属片２、３が第１の軸４で連結されることで、先端部２２、３２は互いに近づいたり離れたり、つまり閉じたり開いたりできるようになっている。また、後端部２３、３３は、先端部２２、３２が閉じたときには開き、先端部２２、３２が開いたときには閉じるようになっている。
【００１７】
バネ５は、例えば、直線状の金属線の中央部分をコイル状に曲げて形成したものである。第１の軸４は、バネ５のコイル状の部分を貫通する。バネ５の一方の端部は、後端部２３の後端部３３側に当接し、バネ５の他方の端部は、後端部３３の後端部２３側に当接する。これにより、バネ５は、各金属片２、３を先端部２２、３２が閉じ且つ後端部２３、３３が開くように付勢する。
【００１８】
第１導電部材６は、板状であり、先端部３２における金属片２側に設けられている。第１導電部材６は、例えば、接着剤で先端部３２に固定されている。
【００１９】
第１導電部材６は、例えば、表面の摩擦力の大きい弾性体であることが好ましい。第１導電部材６の第２導電部材９側の面には、複数の凸部６１が面状の広がりをもって設けられている。凸部６１は、例えば、格子状に配列されている。
【００２０】
先端部２２は、リブ２２１とその反対側に図示しないリブ２２１を有し、台座８は、リブ８１とその反対側に図示しないリブ８１を有する。第２の軸７は、４つのリブ２２１、２２１、８１、８１に形成された孔を貫通している。つまり、第２の軸７は、先端部２２を横断するように貫通する。これにより、台座８は、第２の軸７回りに回動自在になっている。
【００２１】
第２導電部材９は、板状であり、台座８の金属片３側に設けられている。第２導電部材９は、例えば、接着剤で台座８の金属片３側に固定されている。つまり、第２導電部材９は、第２の軸７回りに回動自在でありかつ第１導電部材６に向くように設けられている。
【００２２】
第２導電部材９は、例えば、表面の摩擦力の大きい弾性体であることが好ましい。第２導電部材９の第１導電部材６側の面には、各凸部６１に対向する凹部９１が設けられている。図１（ｂ）は、第２導電部材９の第１導電部材６側から見た外観を示す斜視図である。凹部９１は、面状の広がりをもって設けられている。凹部９１は、例えば、格子状に配列されている。各凹部９１は、先端部２２１、２３１が閉じたときに、その凹部９１に対向する凸部６１が嵌り込むような位置に設けられる。
【００２３】
図２は、電気配線用クリップ１が板材を挟み込むまでの各過程を示す図である。
【００２４】
図２（ａ）：まず、電気配線用クリップ１にあっては、バネ５により、先端部２２、３２は閉じ、後端部２３、３３は開いている。第１導電部材６は、第２導電部材９に接触している。後端部３３には、例えば、接地用の被覆電線Ｌが電気的に接続されている。
【００２５】
図２（ｂ）：次に、例えば、後端部２３、３３が指で閉じられる。これにより、先端部２２、３２は開き、第１導電部材６、第２導電部材９から離れていく。
【００２６】
図２（ｃ）：次に、離れた第１導電部材６と第２導電部材９の間に、例えば、板材Ｐが挿入される。板材Ｐは、例えば、金属シャーシであり、表面が滑りやすいものである。
【００２７】
図２（ｄ）：次に、後端部２３、３３から指が離される。これにより、板材Ｐが第１導電部材６と第２導電部材９の間に挟み込まれる。これにより、板材Ｐと被覆電線Ｌが導通する。このとき、第２導電部材９は、第２の軸７回りに回動自在であるので、その先端側が板材Ｐから浮き上がることがない。つまり、第２導電部材９は、全体的に、板材Ｐに接する。
【００２８】
また、第１導電部材６と第２導電部材９は、共に板状であるので、板材Ｐに対し、いわゆる「面」で接する。
【００２９】
よって、電気配線用クリップ１は、板材Ｐからずれにくく、つまり、外れにくく、板材の電気配線に適している。
【００３０】
図３は、電気配線用クリップ１が電線を挟み込んだ様子を示す図である。
【００３１】
図３（ａ）：板材Ｐの場合と同様の過程を経て、第１導電部材６と第２導電部材９の間に、被覆を剥いた電線Ｃが挟み込まれる。電線Ｃは、凸部６１と凹部９１で挟み込まれ、先端方向およびに後端方向にずれないようになっている。
【００３２】
図３（ｂ）：この図は、図３（ａ）における第１導電部材６、第２導電部材９および電線Ｃを分解図で示したものである。電線Ｃは、凸部６１と第２導電部材９の凹部で挟み込まれ、波打った状態になっており、電線Ｃの長さ方向にもずれないようになっている。
【００３３】
よって、電気配線用クリップ１は、凸部６１と凹部９１を設けたことで、電線Ｃからずれにくく、つまり、外れにくく、電線の電気配線に適している。
【００３４】
なお、凸部を第２導電部材９に設け、凹部を第１導電部材６に設けてもよい。
【００３５】
また、凸部６１、凹部９１は、例えば、一列だけ設けてもよい。また、凸部６１、凹部９１は、例えば、中央に１つだけ設けてもよい。
【００３６】
また、電線の電気配線に使用しない場合などにおいては、凸部６１と凹部９１を設けなくてもよい。凸部６１と凹部９１を設けない場合は、第１導電部材６、第２導電部材９とこれらに挟み込まれた板材との接触面積が広くなるので、板材の使用により適している。
【００３７】
また、第１導電部材６を金属片２に設け、第２の軸７と台座８と第２導電部材９を金属片３に設けてもよい。
【符号の説明】
【００３８】
１  電気配線用クリップ
２、３  金属片
４  第１の軸
５  バネ
６  第１導電部材
７  第２の軸
８  台座
９  第２導電部材
２１、３１  主要部
２２、３２  先端部
２３、３３  後端部
６１  凸部
９１  凹部
８１、２１１、２２１、３１１  リブ
Ｃ  電線
Ｌ  被覆電線
Ｐ  板材
【図１】
2013114970.tif 000003
【図２】
2013114970.tif 000004
【図３】
2013114970.tif 000005